(57)【要約】【課題】本発明は、タッチディスプレイパネル及びタッチディスプレイ装置に関するものである。【解決手段】タッチディスプレイパネルのアクティブ領域に機能モジュールが配置された構造において、機能モジュールの外部領域に配置される連結パターン又は機能モジュールのベゼル領域に配置されたセンサ連結配線を介して機能モジュールに隣接したタッチセンサやタッチ配線が連結される構造を提供することにより、アクティブ領域に機能モジュールなどのように画像が表示されない領域を含む構造において画像が表示される全ての領域を介してタッチ検出機能を提供することができる。【選択図】図１
2019096306.tif 000002
【特許請求の範囲】
【請求項１】
イメージが表示されるアクティブ領域と前記アクティブ領域の外部領域である非アクティブ領域を含むパネルと、
前記アクティブ領域に配置された少なくとも一つの機能モジュールと、
前記アクティブ領域で第１の方向に配置され、それぞれ一つ以上の第１のタッチセンサを含む複数の第１のタッチセンサグループと、
前記アクティブ領域で前記第１の方向と交差する第２の方向に配置され、それぞれ一つ以上の第２のタッチセンサを含む複数の第２のタッチセンサグループを含み、
前記一つ以上の第１のタッチセンサ及び前記一つ以上の第２のタッチセンサは、前記アクティブ領域で前記少なくとも一つの機能モジュールが配置された領域を除いた領域に配置される、タッチディスプレイ装置。
【請求項２】
前記少なくとも一つの機能モジュールは、前記第１のタッチセンサグループに含まれた２つの第１のタッチセンサの間に配置され、
前記機能モジュールの外部領域で前記第１のタッチセンサが配置された層と同じ層に配置され、前記２つの第１のタッチセンサを互いに連結する少なくとも一つの第１の連結パターンを更に含む、請求項１記載のタッチディスプレイ装置。
【請求項３】
前記少なくとも一つの機能モジュールは、前記第２のタッチセンサグループに含まれた２つの第２のタッチセンサの間に配置され、
前記機能モジュールの外部領域で前記第２のタッチセンサが配置された層と異なる層に配置され、前記２つの第２のタッチセンサを互いに連結する少なくとも一つの第２の連結パターンを更に含む、請求項１記載のタッチディスプレイ装置。
【請求項４】
前記少なくとも一つの機能モジュールは、前記第１のタッチセンサグループに含まれた２つの第１のタッチセンサの間と前記第２のタッチセンサグループに含まれた２つの第２のタッチセンサの間に配置された、請求項１記載のタッチディスプレイ装置。
【請求項５】
前記少なくとも一つの機能モジュールは、前記機能モジュールの外部領域で前記第１のタッチセンサが配置された層と同じ層に配置され、前記２つの第１のタッチセンサを互いに連結する少なくとも一つの第１の連結パターンと、
前記機能モジュールの外部領域で前記第２のタッチセンサが配置された層と異なる層に配置され、前記２つの第２のタッチセンサを互いに連結する少なくとも一つの第２の連結パターンを含む、請求項４記載のタッチディスプレイ装置。
【請求項６】
前記第１の連結パターンの少なくとも一部は、前記第２の連結パターンの少なくとも一部と重畳する、請求項４記載のタッチディスプレイ装置。
【請求項７】
前記第１の連結パターンと前記第２のタッチセンサは、互いに離隔して配置された、請求項４記載のタッチディスプレイ装置。
【請求項８】
前記非アクティブ領域に配置され、前記複数の第１のタッチセンサグループと電気的に接続された一つ以上の第１のタッチ配線と、
前記非アクティブ領域に配置され、前記複数の第２のタッチセンサグループと電気的に接続された一つ以上の第２のタッチ配線と、
前記機能モジュールの外部領域に配置され、前記第１のタッチ配線と前記第１のタッチセンサグループを連結するか、または、前記第２のタッチ配線と前記第２のタッチセンサグループを連結する第３の連結パターンを更に含む、請求項１記載のタッチディスプレイ装置。
【請求項９】
前記少なくとも一つの機能モジュールは、機能実行領域と前記機能実行領域の外側に配置された信号配線領域を含み、
前記信号配線領域に配置され、前記機能モジュールの両側に配置された２つの第１のタッチセンサを互いに連結する少なくとも一つの第１のセンサ連結配線を更に含む、請求項１記載のタッチディスプレイ装置。
【請求項１０】
前記信号配線領域に配置され、前記機能モジュールの両側に配置された２つの第２のタッチセンサを互いに連結する少なくとも一つの第２のセンサ連結配線と、
前記第１のセンサ連結配線及び前記第２のセンサ連結配線の下部に配置された絶縁層を更に含み、
前記第１のセンサ連結配線と前記第２のセンサ連結配線のうち、いずれか一つは、互いに交差する領域で前記絶縁層の下部に配置された、請求項９記載のタッチディスプレイ装置。
【請求項１１】
前記非アクティブ領域に配置され、前記複数の第１のタッチセンサグループと電気的に接続された一つ以上の第１のタッチ配線と、
前記非アクティブ領域に配置され、前記複数の第２のタッチセンサグループと電気的に接続された一つ以上の第２のタッチ配線を含み、
前記機能モジュールの両側に配置された２つの第１のタッチセンサは、互いに異なる２つの第１のタッチ配線と電気的に接続され、
前記２つの第１のタッチ配線のうち少なくとも一つは、前記第２のタッチ配線と重畳する、請求項１記載のタッチディスプレイ装置。
【請求項１２】
前記機能モジュールは、ディスプレイと関わらない機能を行う、請求項１記載のタッチディスプレイ装置。
【請求項１３】
封止層を更に含み、
前記第１のタッチセンサ及び第２のタッチセンサと、前記第１のタッチ配線及び第２のタッチ配線は、前記封止層の上に配置された、請求項９記載のタッチディスプレイ装置。
【請求項１４】
前記封止層は、予め設定された高さを有するダムを含む、請求項１３記載のタッチディスプレイ装置。
【請求項１５】
前記機能モジュールは、前記第１のタッチセンサ及び第２のタッチセンサと、前記第１のタッチ配線及び第２のタッチ配線が連結される部分と重畳するように配置された、請求項９記載のタッチディスプレイ装置。
【請求項１６】
イメージが表示されるアクティブ領域と、
前記アクティブ領域に配置された少なくとも一つの機能モジュールと、
前記アクティブ領域で一方向に配置され、それぞれ一つ以上の第１のタッチセンサを含む複数の第１のタッチセンサグループと、
前記アクティブ領域で前記第１のタッチセンサグループと交差する方向に配置され、それぞれ一つ以上の第２のタッチセンサを含む複数の第２のタッチセンサグループを含み、
前記少なくとも一つの機能モジュールは前記第１のタッチセンサグループに含まれた２つの第１のタッチセンサの間に配置されるか、
前記第２のタッチセンサグループに含まれた２つの第２のタッチセンサの間に配置されるか、または、
前記第１のタッチセンサグループに含まれた２つの第１のタッチセンサの間と前記第２のタッチセンサグループに含まれた２つの第２のタッチセンサの間に配置された、タッチディスプレイパネル。
【請求項１７】
前記機能モジュールの外部領域に配置され、
前記機能モジュールの両側に配置された２つの第１のタッチセンサを互いに連結するか、または、前記機能モジュールの両側に配置された２つの第２のタッチセンサを互いに連結する、一つ以上の連結パターンを更に含む、請求項１６記載のタッチディスプレイパネル。
【請求項１８】
前記機能モジュールは、ディスプレイと関わらない機能を行う、請求項１６記載のタッチディスプレイパネル。
【請求項１９】
イメージが表示されるアクティブ領域と、
前記アクティブ領域の外部領域である非アクティブ領域と、
前記アクティブ領域に配置された少なくとも一つの機能モジュールと、
前記アクティブ領域で第１の方向に配置され、それぞれ一つ以上の第１のタッチセンサを含む複数の第１のタッチセンサグループと、
前記アクティブ領域で前記第１の方向と交差する第２の方向に配置され、それぞれ一つ以上の第２のタッチセンサを含む複数の第２のタッチセンサグループと、
前記非アクティブ領域に配置され、前記複数の第１のタッチセンサグループと電気的に接続された少なくとも１つの第１のタッチ配線と、
前記非アクティブ領域に配置され、前記複数の第２のタッチセンサグループと電気的に接続された少なくとも１つの第２のタッチ配線を含み、
前記複数の第１のタッチセンサグループのうち、いずれか１つの第１のタッチセンサグループ（グループＡ）に含まれた前記１つ以上の第１タッチセンサのうち一部の第１のタッチセンサとその他の第１のタッチセンサは、それぞれ互いに異なる前記第１のタッチ配線と電気的に接続され、
前記複数の第２のタッチセンサグループのうち、いずれか１つの第２のタッチセンサグループ（グループＢ）に含まれた前記１つ以上の第２タッチセンサのうち一部の第２タッチセンサとその他の第２のタッチセンサは、それぞれ互いに異なる前記第２タッチ配線と電気的に接続される、タッチディスプレイパネル。
【請求項２０】
前記少なくとも一つの機能モジュールは、前記グループＡと前記グループＢが交差する地点を含む領域に配置された、請求項１９記載のタッチディスプレイパネル。
【請求項２１】
前記グループＡに連結された２つ以上の第１のタッチ配線のうち少なくとも一つは、前記グループＢに連結された２つ以上の第２のタッチ配線のうち少なくとも一つと交差する、請求項１９記載のタッチディスプレイパネル。
【請求項２２】
前記機能モジュールは、ディスプレイと関わらない機能を行う、請求項１９記載のタッチディスプレイパネル。
【請求項２３】
前記少なくとも一つの機能モジュールは、前記機能モジュールの外部で前記第１のタッチセンサが配置された層と同じ層に配置され、隣接した２つの第１のタッチセンサを連結する少なくとも一つの第１の連結パターンと、
前記機能モジュールの外部で前記第２のタッチセンサが配置された層と異なる層に配置され、隣接した２つの第２のタッチセンサを連結する少なくとも一つの第２の連結パターンを含む、請求項１９記載のタッチディスプレイパネル。
【請求項２４】
封止層を更に含み、
前記第１のタッチセンサ及び第２のタッチセンサと、前記第１のタッチ配線及び第２のタッチ配線は、前記封止層の上に配置された、請求項１９記載のタッチディスプレイパネル。
【請求項２５】
前記封止層は、予め設定された高さを有するダムを含む、請求項２４記載のタッチディスプレイパネル。
【請求項２６】
前記機能モジュールは、前記第１のタッチセンサ及び第２のタッチセンサと、前記第１のタッチ配線及び第２のタッチ配線が連結される部分と重畳するように配置された、請求項１９記載のタッチディスプレイパネル。
【発明の詳細な説明】
【技術分野】
【０００１】
本発明は、タッチディスプレイパネル及びタッチディスプレイ装置に関するものである。
【背景技術】
【０００２】
情報化社会の発展につれて画像を表示するディスプレイ装置に対するニーズが高まっており、液晶ディスプレイ装置（Ｌｉｑｕｉｄ  Ｃｒｙｓｔａｌ  Ｄｉｓｐｌａｙ  Ｄｅｖｉｃｅ)、プラズマディスプレイ装置（Ｐｌａｓｍａ  Ｄｉｓｐｌａｙ  Ｄｅｖｉｃｅ）、有機発光ディスプレイ装置（Ｏｒｇａｎｉｃ  Ｌｉｇｈｔ  Ｅｍｉｔｔｉｎｇ  Ｄｉｓｐｌａｙ  Ｄｅｖｉｃｅ）など、様々なタイプのディスプレイ装置が用いられている。
【０００３】
従来ディスプレイ装置は、ユーザにより多様な機能を提供するために、ディスプレイパネルに対するユーザのタッチを認識し、その認識されたタッチに基づいて入力処理を行う機能を提供している。
【０００４】
一例として、ディスプレイパネルにタッチセンサを配置し、ユーザがディスプレイパネルをタッチする際に発生する静電容量の変化を検知することによって、ディスプレイパネルに対するユーザのタッチの有無及びその位置を感知することができる。
【０００５】
タッチ検出が可能なディスプレイ装置は、ディスプレイパネルにタッチ検出用のタッチセンサなどが配置されることによって、ディスプレイパネルの厚さが厚くなったり、ディスプレイパネルが提供するディスプレイの機能に影響を与えたりする問題が生じる。
【０００６】
そのため、従来のディスプレイパネルの構造的特徴及び機能的特徴に及ぼす影響を最小限にし、且つタッチ検出用のタッチセンサやタッチ配線などが配置できるような方案が求められる。
【０００７】
なお、近年、ディスプレイパネルにおいて、画像が表示される領域（アクティブ領域）を拡張しようというニーズに沿ってすでに画像が表示されない領域（非アクティブ領域）に配置される一部の構成がアクティブ領域に配置できるようになった。
【０００８】
このような場合、アクティブ領域に新たな構成が配置されることによって、アクティブ領域の構造が変更される恐れがある。そのためアクティブ領域が拡張及び変更された構造においてタッチ検出を行うことができるように、タッチセンサとタッチ配線が設計できる方策が求められる。
【発明の概要】
【発明が解決しようとする課題】
【０００９】
本発明の第１の目的は、ディスプレイパネルの構造的特徴及び機能的特徴に影響を与えずタッチ検出用のタッチセンサとタッチ配線などが配置された、タッチディスプレイパネル及びタッチディスプレイ装置を提供することにある。
【００１０】
本発明の第２の目的は、ディスプレイパネルのアクティブ領域が拡張されることによって変更された構造を有するアクティブ領域においてタッチ検出を行うことができる、タッチディスプレイパネル及びタッチディスプレイ装置を提供することにある。
【課題を解決するための手段】
【００１１】
一側面における本発明の実施形態は、イメージが表示されるアクティブ領域とアクティブ領域の外部領域である非アクティブ領域を含むパネルと、アクティブ領域に配置された少なくとも一つの機能モジュールと、アクティブ領域で一方向に配置され、それぞれ一つ以上の第１のタッチセンサを含む複数の第１のタッチセンサグループと、アクティブ領域で第１のタッチセンサグループと交差する方向に配置され、それぞれ一つ以上の第２のタッチセンサを含む複数の第２のタッチセンサグループを含み、一つ以上の第１のタッチセンサ及び一つ以上の第２のタッチセンサは、アクティブ領域において少なくとも一つの機能モジュールが配置された領域を除いた領域に配置されたタッチディスプレイ装置を提供する。
【００１２】
他の側面における本発明の実施形態は、イメージが表示されるアクティブ領域と、アクティブ領域に配置された少なくとも一つの機能モジュールと、アクティブ領域で一方向に配置され、それぞれ一つ以上の第１のタッチセンサを含む複数の第１のタッチセンサグループと、アクティブ領域で第１のタッチセンサグループと交差する方向に配置され、それぞれ一つ以上の第２のタッチセンサを含む複数の第２のタッチセンサグループを含み、少なくとも一つの機能モジュールは第１のタッチセンサグループに含まれた２つの第１のタッチセンサの間に配置され、第２のタッチセンサグループに含まれた２つの第２のタッチセンサの間に配置され、または第１のタッチセンサグループに含まれた２つの第１のタッチセンサの間と第２のタッチセンサグループに含まれた２つの第２のタッチセンサの間に配置される、タッチディスプレイパネルを提供する。
【００１３】
他の側面における本発明の実施形態は、イメージが表示されるアクティブ領域と、アクティブ領域の外部領域である非アクティブ領域と、アクティブ領域に配置された少なくとも一つの機能モジュールと、アクティブ領域で一方向に配置され、それぞれ一つ以上の第１のタッチセンサを含む複数の第１のタッチセンサグループと、アクティブ領域で第１のタッチセンサグループと交差する方向に配置され、それぞれ一つ以上の第２のタッチセンサを含む複数の第２のタッチセンサグループと、非アクティブ領域に配置されて複数の第１のタッチセンサグループと電気的に接続された一つ以上の第１のタッチ配線と、非アクティブ領域に配置されて複数の第２のタッチセンサグループと電気的に接続された１つ以上の第２のタッチ配線を含み、複数の第１のタッチセンサグループのいずれか１つの第１のタッチセンサグループ（グループＡ）に含まれた１つ以上の第１のタッチセンサのうち、一部の第１のタッチセンサとその他の第１のタッチセンサは、それぞれ互いに異なる第１のタッチ配線と電気的に接続され、複数の第２のタッチセンサグループのいずれか１つの第２のタッチセンサグループ（グループＢ）に含まれた１つ以上の第２のタッチセンサのうち、一部の第２のタッチセンサとその他の第２のタッチセンサは、それぞれ互いに異なる第２のタッチ配線と電気的に接続されたタッチディスプレイパネルを提供する。
【発明の効果】
【００１４】
以上のように、本発明によると、ディスプレイパネルのアクティブ領域において機能モジュールが配置される領域を除いた領域に、タッチセンサを配置してタッチセンサがタッチ配線と連結される構造を提供することにより、ディスプレイパネルにおいて画像が表示される全ての領域でタッチ検出を行うことができる効果を有する。
【００１５】
本発明によると、機能モジュールの周辺に配置された２つのタッチセンサが機能モジュールの外部又は内部に配置された連結パターンなどを介して互いに連結されることにより、機能モジュールの周辺領域でタッチ検出を行うことができる効果を奏する。
【図面の簡単な説明】
【００１６】
【図１】本発明の実施形態に係るタッチディスプレイ装置の概略的構成を示す。
【図２】図１に示したタッチディスプレイ装置が有機発光ディスプレイ装置である場合を示したもので、図１のＡ―Ａ′部分の断面を例示する。
【図３】本発明の実施形態に係るタッチディスプレイ装置が有機発光ディスプレイ装置である場合、タッチセンサが配置される概略的構造を例示する。
【図４】本発明の実施形態に係るタッチディスプレイ装置が有機発光ディスプレイ装置である場合、タッチセンサが配置される概略的構造を例示する。
【図５ａ】本発明の実施形態に係るタッチディスプレイパネルが機能モジュールを含む場合、機能モジュールとタッチセンサの位置関係を例示する。
【図５ｂ】本発明の実施形態に係るタッチディスプレイパネルが機能モジュールを含む場合、機能モジュールとタッチセンサの位置関係を例示する。
【図６】本発明の実施形態に係るタッチディスプレイパネルにおいて機能モジュールの周辺に配置されたタッチセンサの連結構造の第１の実施形態を例示する。
【図７ａ】図６に示したタッチセンサの連結構造におけるＢ−Ｂ′部分の断面図である。
【図７ｂ】図６に示したタッチセンサの連結構造におけるＢ−Ｂ′部分の断面図である。
【図８】本発明の一実施形態に係るタッチセンサの連結構造の異なる例を示す。
【図９】本発明の一実施形態に係るタッチセンサの連結構造のさらに異なる例を示す。
【図１０】図９に示したタッチセンサの連結構造におけるＣ−Ｃ′部分の断面図である。
【図１１】本発明の一実施形態に係るタッチセンサの連結構造の異なる例を示す。
【図１２】本発明の一実施形態に係るタッチセンサの連結構造のさらに異なる例を示す。
【図１３】本発明の実施形態に係るタッチディスプレイパネルにおいて機能モジュールの周辺に配置されたタッチセンサの連結構造の第２の実施形態を示す。
【図１４】本発明の実施形態に係るタッチディスプレイパネルで機能モジュールの周辺に配置されたタッチセンサの連結構造における第２の実施形態を示す。
【図１５ａ】図１４に示したタッチセンサの連結構造におけるＤ−Ｄ′部分の断面図である。
【図１５ｂ】図１４に示したタッチセンサの連結構造におけるＥ−Ｅ′部分の断面図である。
【図１６】本発明の実施形態に係るタッチディスプレイパネルで機能モジュールの周辺に配置されたタッチセンサの連結構造における第３の実施形態を示した図である。
【図１７】本発明の実施形態に係るタッチディスプレイパネルで機能モジュールの周辺に配置されたタッチセンサの連結構造における第３の実施形態を示した図である。
【図１８】図１７に示したタッチセンサの連結構造におけるＦ−Ｆ′部分の断面図である。
【発明を実施するための形態】
【００１７】
以下、本発明の一実施形態を例示的に示した図を参照して詳細に説明する。各図の構成要素に参照符号を付すに当たって、同一の構成要素については他の図面上に表示されても、できれば同一符号を有する。また、本発明を説明するにあたって、かかる公知構成又は機能に対する具体的な説明が本発明の要旨を逸脱する恐れがあると判断される場合にはその詳細な説明は省略する。
【００１８】
また、本発明の構成要素を説明するにあたって、第１、第２、Ａ、Ｂ、ａ、ｂなどの用語を用いることができる。このような用語はその構成要素を他の構成要素と区別するためのものであって、その用語によって当該構成要素の本質、手順、順序又は個数などは限定されない。ある構成要素が異なる構成要素に「連結」、「結合」又は「接続」されると記載した場合、その構成要素はその他の構成要素に直接連結、または接続することができるが、各構成要素の間に異なる構成要素が「介在」されるか、各構成要素が異なる構成要素を介して「連結」、「結合」又は「接続」することもできると理解されるべきである。
【００１９】
図１は、本発明の実施形態に係るタッチディスプレイ装置１００の概略的構成を示した図である。
【００２０】
図１を参照すると、本発明の実施形態に係るタッチディスプレイ装置１００は、複数のタッチセンサ（ＴＳ）及び複数のタッチ配線（ＴＬ）が配置されたタッチディスプレイパネル１１０と、複数のタッチセンサ（ＴＳ）を駆動するタッチ駆動回路１２０を含むことができる。
【００２１】
なお、タッチディスプレイ装置１００はタッチ検出のための構成以外にディスプレイ駆動のための基本的構成を含むことができる。
【００２２】
一例として、タッチディスプレイパネル１１０には複数のゲートラインと複数のデータラインが配置され、ゲートラインとデータラインが交差する領域に複数のサブピクセルが配置される。前記タッチディスプレイパネル１１０は、画像が表示されるアクティブ領域（Ａ／Ａ）とアクティブ領域（Ａ／Ａ）の外部領域である非アクティブ領域（Ｎ／Ａ）に分けられる。
【００２３】
さらに、タッチディスプレイ装置１００はゲートラインを駆動するゲート駆動回路、データラインを駆動するデータ駆動回路及び、ゲート駆動回路とデータ駆動回路を制御するコントローラなどを含むことができる。
【００２４】
即ち、本発明の実施形態に係るタッチディスプレイ装置１００は、ディスプレイのための基本構造を有し、ディスプレイ駆動のための構成とタッチ検出のための構成を含むことができる。本明細書では、タッチ検出のための構成を中心に説明する。
【００２５】
複数のタッチセンサ（ＴＳ）は、タッチディスプレイパネル１１０の上に別途のタッチパネル型で配置されるか、タッチディスプレイパネル１１０に内蔵型で配置することができる。
【００２６】
複数のタッチセンサ（ＴＳ）がタッチディスプレイパネル１１０に内蔵された形態で配置される場合、複数のタッチセンサ（ＴＳ）はディスプレイ駆動のために用いられる電極のうち、いずれか１つであっても良いし、タッチ検出のために、別途配置された電極であっても良い。
【００２７】
一例として、タッチディスプレイ装置１００が液晶ディスプレイ装置である場合、タッチディスプレイパネル１１０に配置される共通電極がタッチセンサ（ＴＳ）として用いられる。即ち、共通電極はディスプレイの駆動期間に共通電圧の印加を受け、さらにタッチ検出期間にタッチ駆動信号の印加を受け、タッチ検出のためのタッチセンサ（ＴＳ）の役割を果たすことができる。
【００２８】
タッチディスプレイ装置１００が有機発光ディスプレイ装置である場合、複数のタッチセンサ（ＴＳ）はタッチディスプレイパネル１１０において封止層（ＥＮＣＡＰ）の上に配置されてもよい。つまり、有機物によって金属物質であるタッチセンサ（ＴＳ）をパネルの内部に設け難いという問題点を克服し、有機発光ディスプレイ装置でタッチ検出機能を提供することが可能になる。
【００２９】
以下では、本発明の実施形態に係るタッチディスプレイ装置１００が有機発光ディスプレイ装置である場合を中心に説明するが、本発明の実施形態はこれに限定されるわけではない。
【００３０】
複数のタッチセンサ（ＴＳ）は、透明電極またはメッシュ状の電極などであっても良い。さらに、タッチ検出方式によって多様な構造で配置されてもよい。
【００３１】
一例として、複数のタッチセンサ（ＴＳ）は互いに分離された形態でタッチディスプレイパネル１１０に配置され、それぞれのタッチセンサ（ＴＳ）が１つのタッチ配線（ＴＬ）と連結できるようになる。さらに、自己容量検出方式によってユーザのタッチ時に発生する自己静電容量の変化を検知してタッチを検出することができる。
【００３２】
若しくは、複数のタッチセンサ（ＴＳ）は互いに異なるレベルの電圧が印加される第１のタッチセンサ（ＴＳ１）と第２のタッチセンサ（ＴＳ２）から構成することができる。そして相互容量検出方式によってユーザのタッチ時に発生する第１のタッチセンサ（ＴＳ１）と第２のタッチセンサ（ＴＳ２）の間の相互静電容量の変化を検知してタッチを検出することもできる。
【００３３】
相互容量検出方式によってタッチを検出する場合、複数の第１のタッチセンサ（ＴＳ１）は一方向に互いに連結して配置できるようになる。そして、複数の第２のタッチセンサ（ＴＳ２）は第１のタッチセンサ（ＴＳ１）と交差する方向に互いに連結して配置できるようになる。
【００３４】
第１のタッチセンサ（ＴＳ１）は第１のタッチ配線（ＴＬ１）と連結され、第２のタッチセンサ（ＴＳ２）は第２のタッチ配線（ＴＬ２）と連結できるようになる。
【００３５】
タッチ検出期間で第１のタッチ配線（ＴＬ１）と第２のタッチ配線（ＴＬ２）を介して互いに異なるレベルの電圧が印加され、ユーザのタッチ時、第１のタッチセンサ（ＴＳ１）と第２のタッチセンサ（ＴＳ２）の間で静電容量の変化が起こる。
【００３６】
タッチ駆動回路１２０はタッチ検出期間で第１のタッチセンサ（ＴＳ１）と第２のタッチセンサ（ＴＳ）を駆動し、第１のタッチセンサ（ＴＳ１）と第２のタッチセンサ（ＴＳ２）の間で起こる静電容量の変化を検出する。
【００３７】
タッチ駆動回路１２０は検出された値をデジタルデータに変換し、その変換されたデジタルデータをタッチコントローラに伝送する。つまり、タッチコントローラがデジタルデータを利用してタッチの有無及びその位置を感知できるようにする。
【００３８】
前記タッチ駆動回路１２０は、データラインを駆動するデータ駆動回路と別個に構成しても良いし、一つのチップ状で構成されてもよい。
【００３９】
図２は、図１に示されたタッチディスプレイ装置１００のＡ−Ａ′部分を示した断面図であり、タッチセンサ（ＴＳ）とタッチ駆動回路１２０が連結される部分と隣接した領域を示したものである。
【００４０】
図２を参照すると、ポリイミド層２０１の上にディスプレイ駆動用のソース／ドレイン電極（Ｓ/Ｄ）が配置される。そしてタッチ配線（ＴＬ）が連結されるタッチパッド（ＴＰ）が配置されてもよい。前記タッチパッド（ＴＰ）はソース／ドレイン電極（Ｓ/Ｄ）と同じ物質であってもよい。
【００４１】
ソース／ドレイン電極（Ｓ/Ｄ）の上に第１の平坦化層２０２が配置され、第１の平坦化層２０２でソース／ドレイン電極（Ｓ/Ｄ）と対応する部分にコンタクトホールが形成される。
【００４２】
第１の平坦化層２０２の上に第１の電極層２０３が配置され、第１の電極層２０３は第１の平坦化層２０２に形成されたコンタクトホールを介してソース／ドレイン電極（Ｓ/Ｄ）と連結できるようになる。ここで、第１の電極層２０３はアノード（Ａｎｏｄｅ）であってもよい。
【００４３】
第１の電極層２０３の上に有機発光層２０５が配置され、有機発光層２０５が配置されない領域にバンク層２０４が配置できるようになる。
【００４４】
有機発光層２０５の上に第２の電極層２０６が配置される。第２の電極層２０６はカソード（Ｃａｔｈｏｄｅ）であってもよい。
【００４５】
第２の電極層２０６の上に第１の保護層２０７、第２の保護層２０８、及び第３の保護層２０９が積層されてもよい。ここで、第１の保護層２０７、第２の保護層２０８、及び第３の保護層２０９などが一つの封止層（ＥＮＣＡＰ）を構成するものに見える。
【００４６】
前記封止層（ＥＮＣＡＰ）は、斜めになった部分で崩れることを防止するために一定の高さを保つダム（ＤＡＭ）を備えることができる。
【００４７】
前記ディスプレイ駆動のための基本的構造上にタッチ検出のための構造を備えることができる。
【００４８】
封止層（ＥＮＣＡＰ）の上にタッチバッファ層２１０が配置され、タッチバッファ層２１０の上にタッチ絶縁層２１１が配置される。
【００４９】
タッチ絶縁層２１１の上にタッチセンサ（ＴＳ）とタッチ配線（ＴＬ）などが配置され、タッチセンサ（ＴＳ）とタッチ配線（ＴＬ）の上に第２の平坦化層２１２が配置される。前記第２の平坦化層２１２はオーバーコート層（ＯＣ）であってもよい。
【００５０】
タッチセンサ（ＴＳ）が相互容量検出方式のための構造で配置される場合、第１のタッチセンサ（ＴＳ１）が互いに連結される部分と第２のタッチセンサ（ＴＳ２）が互いに連結される部分が交差することができる。
【００５１】
この際、図２に示されたように、第２のタッチセンサ（ＴＳ２）がタッチ絶縁層２１１の下部に配置されるメタルを介して連結される構造を有することができる。ここで、第２のタッチセンサ（ＴＳ２）を互いに連結するメタルを金属ブリッジとも呼ばれる。
【００５２】
このように、有機発光ディスプレイ装置において封止層（ＥＮＣＡＰ）の上にタッチセンサ（ＴＳ）及びタッチ配線（ＴＬ）が配置される構造を提供することによって、パネル内にタッチ検出のための構成を容易に備えることができる。
【００５３】
前記タッチ検出の可能な有機発光ディスプレイ装置は、白色の有機発光ダイオード（Ｗ―ＯＬＥＤ）を用いる場合、封止層（ＥＮＣＡＰ）の上にカラーフィルター（ＣＦ）が配置されてもよい。
【００５４】
図３及び図４は、封止層（ＥＮＣＡＰ）上にタッチセンサ（ＴＳ）とカラーフィルター（ＣＦ）が配置される断面構造の例を示したものである。
【００５５】
図３及び図４を参照すると、カソード（Ｃａｔｈｏｄｅ）の上に封止層（ＥＮＣＡＰ）が配置され、封止層（ＥＮＣＡＰ）の上にタッチセンサ（ＴＳ）が配置されてもよい。
【００５６】
ここで、封止層（ＥＮＣＡＰ）の厚さ（Ｔ）を一定の厚さ以上（例えば、５μｍ以上）に形成することによって、カソード（Ｃａｔｈｏｄｅ）とタッチセンサ（ＴＳ）の間に形成される寄生静電容量を減少させることができる。つまり、寄生静電容量によるタッチ検出感度の低下を防止することができる。
【００５７】
タッチセンサ（ＴＳ）は透明電極またはメッシュ状の電極であっても良く、タッチセンサ（ＴＳ）が穴（Ｈ）を含むメッシュ状の場合、タッチセンサ（ＴＳ）に含まれた穴（Ｈ）はサブピクセルの発光領域と対応して位置することができる。
【００５８】
タッチセンサ（ＴＳ）に含まれた穴（Ｈ）がサブピクセルの発光領域に対応されることによって、有機発光ディスプレイ装置の発光性能を低下させずにタッチ検出ができる。
【００５９】
カラーフィルター（ＣＦ）は封止層（ＥＮＣＡＰ）の上に配置され、カラーフィルター（ＣＦ）とタッチセンサ（ＴＳ）の垂直的な位置は多様に設計することができる。
【００６０】
一例として、図３に示されたようにカラーフィルター（ＣＦ）とブラックマトリックス（ＢＭ）はタッチセンサ（ＴＳ）の上に配置されてもよい。また、カラーフィルター（ＣＦ）とブラックマトリックス（ＢＭ）はタッチセンサ（ＴＳ）の上に配置されるオーバーコート層（ＯＣ）の上に配置されても良い。
【００６１】
他の例として、図４に示されたように、カラーフィルター（ＣＦ）とブラックマトリックス（ＢＭ）はタッチセンサ（ＴＳ）の下部に位置することができる。この際、タッチセンサ（ＴＳ）はカラーフィルター（ＣＦ）とブラックマトリックス（ＢＭ）の上に配置されるオーバーコート層（ＯＣ）の上に配置されてもよい。
【００６２】
即ち、タッチセンサ（ＴＳ）とカラーフィルター（ＣＦ）はタッチ性能及びディスプレイ性能を考慮して最適な位置関係を有するように設計できるようになる。
【００６３】
従って、本発明の実施形態は有機発光ディスプレイ装置においてパネルの内部にタッチセンサ（ＴＳ）を備えることが難しいという問題を解決し、且つディスプレイ性能を低下させずにタッチ検出を行うことができる。
【００６４】
一方、前記タッチディスプレイ装置１００は画像が表示されるアクティブ領域（Ａ／Ａ）を拡張したいというニーズに応じてタッチディスプレイパネル１１０で非アクティブ領域（Ｎ／Ａ）が狭くなり、相対的にアクティブ領域（Ａ／Ａ）が広くなる構造を有することができる。
【００６５】
従って、非アクティブ領域（Ｎ／Ａ）に配置される構成がアクティブ領域（Ａ／Ａ）に配置されることになってしまう。このような場合、タッチ検出用のタッチセンサ（ＴＳ）及びタッチ配線（ＴＬ）の設計に厄介な問題が生じる。
【００６６】
図５ａ及び図５ｂはタッチディスプレイパネル１１０においてアクティブ領域（Ａ／Ａ）が拡張された場合に変更される構造を例示する。
【００６７】
図５ａを参照すると、タッチディスプレイパネル１１０のアクティブ領域（Ａ／Ａ）にタッチセンサ（ＴＳ）が配置され、非アクティブ領域（Ｎ／Ａ）にカメラ、スピーカーなどのような機能モジュールが配置できるようになる。
【００６８】
前記タッチディスプレイパネル１１０のアクティブ領域（Ａ／Ａ）が拡張されることにより、非アクティブ領域（Ｎ／Ａ）に配置された機能モジュールがアクティブ領域（Ａ／Ａ）に位置する。
【００６９】
図５ｂを参照すると、カメラ、スピーカーなどのような機能モジュールがアクティブ領域（Ａ／Ａ）に配置されることにより、アクティブ領域（Ａ／Ａ）に配置されたタッチセンサ（ＴＳ）と重畳した領域に位置するようになる。
【００７０】
従って、アクティブ領域（Ａ／Ａ）の拡張によって変更された構造を有するタッチディスプレイパネル１１０においてタッチセンサ（ＴＳ）及びタッチ配線（ＴＬ）を設計するのに厄介な問題があり、機能モジュールの周辺領域においてタッチ検出機能を提供するために新たなタッチセンサ（ＴＳ）及びタッチ配線（ＴＬ）の構造が求められる。
【００７１】
本発明の実施形態によるタッチディスプレイ装置１００は、アクティブ領域（Ａ／Ａ）の拡張によって変更された構造でもタッチ検出を行うことができるような構造を有する、タッチディスプレイパネル１１０及びタッチディスプレイ装置１００を提供する。
【００７２】
図６は、本発明の実施形態に係るタッチディスプレイパネル１１０において、機能モジュールの周辺に配置されるタッチセンサ（ＴＳ）の構造及びタッチセンサ（ＴＳ）の連結構造における第１の実施形態を例示する。
【００７３】
図６を参照すると、第１の実施形態によるタッチディスプレイパネル１１０のアクティブ領域（Ａ／Ａ）に複数のタッチセンサ（ＴＳ）が配置される。
【００７４】
複数のタッチセンサ（ＴＳ）は、Ｘ軸方向に連結された複数の第１のタッチセンサ（ＴＳ１）と、Ｙ軸方向に連結された複数の第２のタッチセンサ（ＴＳ２）から構成することができる。
【００７５】
複数の第１のタッチセンサ（ＴＳ１）は、同一の行に配置され、Ｘ軸方向に互いに連結された２つ以上の第１のタッチセンサ（ＴＳ１）が一つの第１のタッチセンサグループ（ＴＳＧ１）を備えることができる。さらに複数の第２のタッチセンサ（ＴＳ２）は、同一の列に配置され、Ｙ軸方向に互いに連結された２つ以上の第２のタッチセンサ（ＴＳ２）が一つの第２のタッチセンサグループ（ＴＳＧ２）を備えることができる。
【００７６】
タッチ検出期間に第１のタッチ配線（ＴＬ１）を介して第１のタッチセンサグループ（ＴＳＧ１）にタッチ駆動信号が印加できるようになる。そして、第１のタッチセンサグループ（ＴＳＧ１）に印加されたタッチ駆動信号と異なる電圧レベルを持つ信号が第２のタッチ配線（ＴＬ２）を介して第２のタッチセンサグループ（ＴＳＧ２）に印加できるようになる。
【００７７】
即ち、第１のタッチセンサグループ（ＴＳＧ１）と第２のタッチセンサグループ（ＴＳＧ２）が互いに交差して配置され、第１のタッチセンサグループ（ＴＳＧ１）に含まれた第１のタッチセンサ（ＴＳ１）と第２のタッチセンサグループ（ＴＳＧ２）に含まれた第２のタッチセンサ（ＴＳ２）の間に形成される相互静電容量の変化を検知してタッチを検出することができる。
【００７８】
前記タッチセンサ（ＴＳ）が配置されるアクティブ領域（Ａ／Ａ）に機能モジュールが配置できるようになる。
【００７９】
前記機能モジュールは、第１のタッチセンサグループ（ＴＳＧ１）と重畳する位置に配置されるか、第２のタッチセンサグループ（ＴＳＧ２）と重畳する位置に配置できる。
【００８０】
機能モジュールが第１のタッチセンサグループ（ＴＳＧ１）と重畳して配置される場合、第１のタッチセンサグループ（ＴＳＧ１）に含まれた第１のタッチセンサ（ＴＳ１）のうち、機能モジュールの両側に配置された第１のタッチセンサ（ＴＳ１）は、機能モジュールの形態に応じて残りの第１のタッチセンサ（ＴＳ１）と相違した形態で配置される。
【００８１】
一例として、機能モジュールが円状である場合、機能モジュールの両側に配置された２つの第１のタッチセンサ（ＴＳ１）の外郭は、機能モジュールの外郭と同一または類似した形態で配置できる。
【００８２】
そして、機能モジュールが配置されることによって機能モジュールの両側に配置された２つの第１のタッチセンサ（ＴＳ１）を連結するための連結パターン（ＣＰ）が配置できるようになる。
【００８３】
前記連結パターン（ＣＰ）は、機能モジュールの外郭に沿って曲線状を有しても良く、機能モジュールの外形に沿って様々な形態で配置できる。
【００８４】
機能モジュールに隣接した第１のタッチセンサ（ＴＳ１）を連結する連結パターン（ＣＰ）は、第１のタッチセンサ（ＴＳ１）と同じ層に配置されても良いし、第１のタッチセンサ（ＴＳ１）と異なる層に配置されても良い。
【００８５】
図７ａ及び図７ｂは、図６に示されたタッチセンサ（ＴＳ）の連結構造において連結パターン（ＣＰ）が配置される構造を例示したものであり、図６に示されたＢ−Ｂ′部分を示す断面図である。
【００８６】
図７ａを参照すると、機能モジュールに隣接した２つの第１のタッチセンサ（ＴＳ１）を連結する連結パターン（ＣＰ）は、第１のタッチセンサ（ＴＳ１）と同じ層に備えることができる。
【００８７】
従って、第１のタッチセンサ（ＴＳ１）を配置する工程において容易に連結パターン（ＣＰ）を実現することができる。
【００８８】
若しくは、第１のタッチセンサ（ＴＳ１）と連結される連結パターン（ＣＰ）は第１のタッチセンサ（ＴＳ１）と異なる層に配置されても良い。
【００８９】
図７ｂを参照すると、機能モジュールに隣接した２つの第１のタッチセンサ（ＴＳ１）を連結する連結パターン（ＣＰ）は、第１のタッチセンサ（ＴＳ１）の下部に配置される絶縁層（ＩＬＤ）の下部に配置できる。
【００９０】
機能モジュールに隣接した２つの第１のタッチセンサ（ＴＳ１）は、絶縁層（ＩＬＤ）に形成されたホールを介して絶縁層（ＩＬＤ）の下部に配置される連結パターン（ＣＰ）と連結されても良い。
【００９１】
前記連結パターン（ＩＬＤ）は、第２のタッチセンサ（ＴＳ２）を互いに連結する金属ブリッジが配置される層に配置できる。
【００９２】
従って、第２のタッチセンサ（ＴＳ２）を互いに連結するための金属ブリッジを備える工程において、機能モジュールに隣接した２つの第１のタッチセンサ（ＴＳ１）を連結するための連結パターン（ＣＰ）を形成して別途工程を経ずに容易に連結パターン（ＣＰ）を備えることができる。
【００９３】
即ち、本発明の実施形態によると、アクティブ領域（Ａ／Ａ）に機能モジュールが配置される場合、機能モジュールに隣接して配置されたタッチセンサ（ＴＳ）を機能モジュールの外形に沿って変更された形態で配置する。なお、機能モジュールに隣接したタッチセンサ（ＴＳ）を互いに連結する連結パターン（ＣＰ）を機能モジュールの外部領域に配置することにより、機能モジュールの周辺領域でタッチを検出することができる。
【００９４】
前記タッチセンサ（ＴＳ）の変更された構造と機能モジュールに隣接したタッチセンサ（ＴＳ）を連結する連結パターン（ＣＰ）を介してアクティブ領域（Ａ／Ａ）に機能モジュールが配置される場合にも機能モジュールが配置されない場合と同じ方式でタッチを検出することができる。
【００９５】
機能モジュールに隣接したタッチセンサ（ＴＳ）を連結する連結パターン（ＣＰ）の構造は、機能モジュールが第２のタッチセンサグループ（ＴＳＧ２）と重畳するように配置される場合にも適用できる。
【００９６】
図８は、第１の実施形態によるタッチセンサ（ＴＳ）の連結構造の異なる例を示したものである。
【００９７】
図８を参照すると、アクティブ領域（Ａ／Ａ）に配置された機能モジュールは第２のタッチセンサグループ（ＴＳＧ２）と重畳するように配置できるようになる。
【００９８】
従って、機能モジュールと隣接して配置される２つの第２のタッチセンサ（ＴＳ２）は、機能モジュールの外形に沿って変更された形態を持って配置される。さらに、機能モジュールに隣接した２つの第２のタッチセンサ（ＴＳ２）は、機能モジュールの外部領域に配置される連結パターン（ＣＰ）を介して互いに連結できるようになる。
【００９９】
前記連結パターン（ＣＰ）は第２のタッチセンサ（ＴＳ２）と同じ層に配置されても良いし、第２のタッチセンサ（ＴＳ２）と異なる層に配置されても良い。
【０１００】
連結パターン（ＣＰ）が第２のタッチセンサ（ＴＳ２）と異なる層に配置される場合、第２のタッチセンサ（ＴＳ２）を互いに連結する金属ブリッジが配置される層に連結パターン（ＣＰ）が形成できるようになる。
【０１０１】
従って、機能モジュールが第２のタッチセンサグループ（ＴＳＧ２）と重畳するように配置される場合にも、機能モジュールに隣接した第２のタッチセンサ（ＴＳ２）を機能モジュールの外形に沿って変更された構造で配置する。さらに、２つの第２のタッチセンサ（ＴＳ２）を機能モジュールの外部領域に配置される連結パターン（ＣＰ）を介して連結することにより、機能モジュールが配置されない構造と同じく第２のタッチセンサ（ＴＳ２）を駆動し、タッチを検出することができる。
【０１０２】
一方、前記機能モジュールはタッチセンサ（ＴＳ）の形態に沿ってＸ軸方向に連結される第１のタッチセンサグループ（ＴＳＧ１）とＹ軸方向に連結される第２のタッチセンサグループ（ＴＳＧ２）と、両方とも重畳するように配置されても良い。
【０１０３】
図９は、第１の実施形態によるタッチセンサ（ＴＳ）の連結構造のさらに異なる例を示したものである。
【０１０４】
図９を参照すると、タッチディスプレイパネル１１０のアクティブ領域（Ａ／Ａ）で一方向に第１のタッチセンサグループ（ＴＳＧ１）が配置され、第１のタッチセンサグループ（ＴＳＧ１）と交差する方向に第２のタッチセンサグループ（ＴＳＧ２）が配置される。
【０１０５】
第１のタッチセンサグループ（ＴＳＧ１）は、Ｘ軸方向に互いに連結された複数の第１のタッチセンサ（ＴＳ１）を含むことができる。さらに、第２のタッチセンサグループ（ＴＳＧ２）はＹ軸方向に互いに連結された複数の第２のタッチセンサ（ＴＳ２）を含むことができる。
【０１０６】
前記第１のタッチセンサグループ（ＴＳＧ１）と第２のタッチセンサグループ（ＴＳＧ２）が交差する領域に機能モジュールが配置されても良い。
【０１０７】
よって、機能モジュールに隣接して配置される第１のタッチセンサ（ＴＳ１）と第２のタッチセンサ（ＴＳ２）は機能モジュールの外形に沿って変更された構造で配置されるようになる。
【０１０８】
さらに、機能モジュールに隣接して配置された２つの第１のタッチセンサ（ＴＳ１）は、機能モジュールの外部領域に配置される第１の連結パターン（ＣＰ１）を介して連結される。また、機能モジュールに隣接して配置された２つの第２のタッチセンサ（ＴＳ２）は、機能モジュールの外部領域に配置される第２の連結パターン（ＣＰ２）を介して連結される。
【０１０９】
ここで、機能モジュールの外部領域に配置される第１の連結パターン（ＣＰ１）と第２の連結パターン（ＣＰ２）は互いに交差する。つまり、第１の連結パターン（ＣＰ１）と第２の連結パターン（ＣＰ２）を互いに異なる層に配置することにより、機能モジュールに隣接したタッチセンサ（ＴＳ）が連結できるようにする。
【０１１０】
一例として、第１のタッチセンサグループ（ＴＳ１）に含まれて機能モジュールに隣接した２つの第１のタッチセンサ（ＴＳ１）は、第１のタッチセンサ（ＴＳ１）と同じ層に配置された第１の連結パターン（ＣＰ１）を介して連結された構造であっても良い。
【０１１１】
そして、第２のタッチセンサグループ（ＴＳＧ２）に含まれて機能モジュールに隣接した２つの第２のタッチセンサ（ＴＳ２）は、第２のタッチセンサ（ＴＳ２）と異なる層に配置された第２の連結パターン（ＣＰ２）を介して連結された構造であっても良い。
【０１１２】
図１０は、図９に示されたタッチセンサ（ＴＳ）の連結構造におけるＣ−Ｃ′部分を示した断面図である。
【０１１３】
図１０を参照すると、機能モジュールに隣接した２つの第１のタッチセンサ（ＴＳ１）を互いに連結する第１の連結パターン（ＣＰ１）は、タッチセンサ（ＴＳ）が配置される層に配置され、第１のタッチセンサ（ＴＳ１）と連結される。
【０１１４】
機能モジュールに隣接した２つの第２のタッチセンサ（ＴＳ２）を互いに連結する第２の連結パターン（ＣＰ２）は、第２のタッチセンサ（ＴＳ２）の下部に配置される絶縁層（ＩＬＤ）の下部に配置することができる。さらに、機能モジュールに隣接した２つの第２のタッチセンサ（ＴＳ２）は、絶縁層（ＩＬＤ）に形成されたホールを介して第２の連結パターン（ＣＰ２）と連結できるようになる。
【０１１５】
従って、機能モジュールと隣接した領域において第１の連結パターン（ＣＰ１）と第２の連結パターン（ＣＰ２）は互いに重畳した構造を持つことができる。
【０１１６】
さらに、それぞれの機能モジュールと隣接した２つの第１のタッチセンサ（ＴＳ１）、または２つの第２のタッチセンサ（ＴＳ２）が連結されることによって、機能モジュールが配置された領域の周辺領域においてタッチ検出が行われるようにする。
【０１１７】
ここで、第１のタッチセンサ（ＴＳ１）及び第２のタッチセンサ（ＴＳ２）と同じ層に配置される第１の連結パターン（ＣＰ１）は第２のタッチセンサ（ＴＳ２）と離隔して配置される。
【０１１８】
即ち、第１のタッチセンサ（ＴＳ１）と連結された第１の連結パターン（ＣＰ１）は第２のタッチセンサ（ＴＳ２）と離隔して配置され、第２の連結パターン（ＣＰ２）は第１のタッチセンサ（ＴＳ１）と離隔して配置されることにより、第１のタッチセンサ（ＴＳ１）と第２のタッチセンサ（ＴＳ２）の間の相互静電容量の変化を利用してタッチ検出するのに影響を及ぼさないようにする。
【０１１９】
前記タッチセンサ（ＴＳ）を互いに連結する連結パターン（ＣＰ）の構造は、機能モジュールがタッチセンサ（ＴＳ）とタッチ配線（ＴＬ）が連結される領域に配置される構造でも適用できる。
【０１２０】
図１１及び図１２は、第１の実施形態によるタッチセンサ（ＴＳ）の連結構造のさらに異なる例を示したものである。
【０１２１】
図１１を参照すると、タッチディスプレイパネル１１０のアクティブ領域（Ａ／Ａ）に複数の第１のタッチセンサ（ＴＳ１）を含む第１のタッチセンサグループ（ＴＳＧ１）と複数の第２のタッチセンサ（ＴＳ２）を含む第２のタッチセンサグループ（ＴＳＧ２）が互いに交差して配置できるようになる。
【０１２２】
さらに、アクティブ領域（Ａ／Ａ）でタッチセンサ（ＴＳ）と重畳する領域に機能モジュールが配置できる。
【０１２３】
前記機能モジュールは、タッチセンサ（ＴＳ）とタッチ配線（ＴＬ）が連結される地点と重畳する領域に配置できる。
【０１２４】
一例として、第２のタッチセンサグループ（ＴＳＧ２）の最外側に配置される第２のタッチセンサ（ＴＳ２）と第２のタッチ配線（ＴＬ２）が連結される地点と重畳する領域に機能モジュールが配置できる。
【０１２５】
このような場合、機能モジュールの外部領域に機能モジュールの外形に沿って一定の形態を有する連結パターン（ＣＰ）が配置できる。そして、連結パターン（ＣＰ）は、機能モジュールと隣接した第２のタッチセンサ（ＴＳ２）と第２のタッチ配線（ＴＬ２）を互いに連結することができる。
【０１２６】
さらに、第２のタッチセンサ（ＴＳ２）と第２のタッチ配線（ＴＬ２）を互いに連結する連結パターン（ＣＰ）は、第２のタッチセンサ（ＴＳ２）と同じ層に配置されても良いし、第２のタッチセンサ（ＴＳ２）と異なる層に配置されても良い。
【０１２７】
従って、機能モジュールがアクティブ領域（Ａ／Ａ）の外郭と隣接して配置される構造において、アクティブ領域（Ａ／Ａ）に配置されたタッチセンサ（ＴＳ）と非アクティブ領域（Ｎ／Ａ）に配置されたタッチ配線（ＴＬ）が、連結パターン（ＣＰ）を介して互いに連結できる構造を提供する。
【０１２８】
前記連結パターン（ＣＰ）を利用したタッチセンサ（ＴＳ）間の連結構造、又はタッチセンサ（ＴＳ）とタッチ配線（ＴＬ）の連結構造は、機能モジュールの形態が円状以外の形態である場合にも適用できる。
【０１２９】
図１２は、アクティブ領域（Ａ／Ａ）に配置された機能モジュールが楕円状を持つ場合、タッチセンサ（ＴＳ）とタッチ配線（ＴＬ）が連結される構造を例示したものである。
【０１３０】
図１２を参照すると、アクティブ領域（Ａ／Ａ）に楕円状の機能モジュールが２つ以上の第２のタッチセンサグループ（ＴＳＧ２）と重畳する領域に配置できる。
【０１３１】
図１２は、機能モジュールが３つの第２のタッチセンサグループ（ＴＳＧ２）と重畳する領域に配置される場合を例示したものであり、機能モジュールによって３つの第２のタッチセンサグループ（ＴＳＧ２）のうち、中央に位置した第２のタッチセンサグループ（ＴＳＧ２）が第２のタッチ配線（ＴＬ２）と連結されにくい構造になる。
【０１３２】
ここで、機能モジュールの外部領域に連結パターン（ＣＰ）を配置し、連結パターン（ＣＰ）が中央に位置した第２のタッチセンサグループ（ＴＳＧ２）と第２のタッチ配線（ＴＬ２）が互いに連結されるようにする。
【０１３３】
前記機能モジュールが様々な形態を持つ場合に適用される連結パターン（ＣＰ）の構造は、機能モジュールがタッチセンサ（ＴＳ）とタッチ配線（ＴＬ）が連結される地点に位置する場合だけでなく、２つのタッチセンサ（ＴＳ）の間に配置される構造でも適用できる。
【０１３４】
また、本発明の実施形態によるタッチセンサ（ＴＳ）と連結パターン（ＣＰ）の構造は、アクティブ領域（Ａ／Ａ）に機能モジュールが配置される構造を例示として説明しているが、機能モジュールではなくアクティブ領域（Ａ／Ａ）内に画像が表示されない領域が存在したり、アクティブ領域（Ａ／Ａ）の形態が異形の場合にも適用できる。
【０１３５】
一方、本発明の実施形態は、機能モジュールの外部領域に配置される連結パターン（ＣＰ）を介してタッチセンサ（ＴＳ）、タッチ配線（ＴＬ）などが連結される構造を提供することもできるが、機能モジュールで信号の配線が配置される領域を利用してタッチセンサ（ＴＳ）、タッチ配線（ＴＬ）などが連結されるようにすることもできる。
【０１３６】
図１３及び図１４は、本発明の実施形態に係るタッチディスプレイパネル１１０において機能モジュールの周面に配置されたタッチセンサ（ＴＳ）の連結構造における第２の実施形態を示したものである。
【０１３７】
図１３を参照すると、アクティブ領域（Ａ／Ａ）に配置された機能モジュールは、機能モジュールの機能を行う機能実行領域（ＦＰＡ、Ｆｕｎｃｔｉｏｎ  Ｐｅｒｆｏｒｍｉｎｇ  Ａｒｅａ）と、機能モジュールの駆動のための信号などが印加される信号配線などが配置される信号配線領域（ＳＬＡ、Ｓｉｇｎａｌ  Ｌｉｎｅ  Ａｒｅａ）に分けられる。
【０１３８】
機能実行領域（ＦＰＡ）はカメラの場合、レンズが配置される領域であっても良く、スピーカの場合、音が出力される領域であっても良い。 さらに、信号配線領域（ＳＬＡ）はベゼル領域とも呼ばれる。
【０１３９】
機能モジュールの信号配線領域（ＳＬＡ）には機能モジュールの駆動のために必要な信号が印加される信号配線が配備でき、信号配線が配置される空間以外に余裕空間が存在しても良い。
【０１４０】
前記余裕空間にタッチセンサ（ＴＳ）やタッチ配線（ＴＬ）と連結されるセンサ連結配線（ＳＣＬ）を配置して、機能モジュールに隣接したタッチセンサ（ＴＳ）やタッチ配線（ＴＬ）が連結されるようにする。
【０１４１】
信号配線領域（ＳＬＡ）の断面を見ると、信号配線領域（ＳＬＡ）に機能モジュールの駆動のための信号配線が配置されるモジュール配線層１３０１が配置され、モジュール配線層１３０１の上に第１の絶縁層１３０２、電極層１３０３が備えられる。
【０１４２】
さらに、電極層１３０３の上に第１のカバー層１３０４、第２のカバー層１３０５、第３のカバー層１３０６が配置され、機能モジュールの駆動のために配置された信号配線などを保護する。
【０１４３】
第３のカバー層１３０６の上に第２の絶縁層１３０７と第３の絶縁層１３０８が配置できる。
【０１４４】
従って、信号配線領域（ＳＬＡ）で機能モジュールの駆動のための信号配線が配置されることなく信号配線に影響を与えない空間に、タッチセンサ（ＴＳ）やタッチ配線（ＴＬ）のためのセンサ連結配線（ＳＣＬ）が配置できる。
【０１４５】
一例として、第３のカバー層１３０６の上にセンサ連結配線（ＳＣＬ）が配置できる。
【０１４６】
さらに、前記センサ連結配線（ＳＣＬ）を介して機能モジュールと隣接して配置されたタッチセンサ（ＴＳ）やタッチ配線（ＴＬ）が連結される構造を提供することができる。
【０１４７】
図１４を参照すると、アクティブ領域（Ａ／Ａ）に第１のタッチセンサグループ（ＴＳＧ１）と第２のタッチセンサグループ（ＴＳＧ２）が交差して配置される。なお、アクティブ領域（Ａ／Ａ）で機能モジュールが第１のタッチセンサグループ（ＴＳＧ１）と重畳する領域に配置できる。なお、機能モジュールは、第２のタッチセンサグループ（ＴＳＧ２）と第２のタッチ配線（ＴＬ２）が連結される地点と重畳して配置されても良い。
【０１４８】
このような構造において、機能モジュールの信号配線領域（ＳＬＡ）に配置された第１のセンサ連結配線（ＳＣＬ１）を介して機能モジュールに隣接した２つの第１のタッチセンサ（ＴＳ１）が互いに連結できる。
【０１４９】
さらに、機能モジュールの信号配線領域（ＳＬＡ）に配置された第２のセンサ連結配線（ＳＣＬ２）を介して機能モジュールに隣接した第２のタッチセンサ（ＴＳ２）と第２のタッチ配線（ＴＬ２）が連結できる。
【０１５０】
従って、機能モジュールに隣接して配置されたタッチセンサ（ＴＳ）とタッチ配線（ＴＬ）が機能モジュールの信号配線領域（ＳＬＡ）に配置されたセンサ連結配線（ＳＣＬ）を介して連結されることによって、機能モジュールの外部領域に配置される連結パターン（ＣＰ）によってタッチセンサ（ＴＳ）が配置される領域が減少しないようにすることができる。
【０１５１】
図１５ａ及び図１５ｂは、図１４に示された信号配線領域（ＳＬＡ）の断面図である。図１５ａはＤ―Ｄ′部分の断面を示したもので、図１５ｂはＥ―Ｅ′部分の断面を示したものである。
【０１５２】
図１５ａを参照すると、第１のセンサ連結配線（ＳＣＬ１）及び第２のセンサ連結配線（ＳＣＬ２）は互いに交差せずに配置される。
【０１５３】
従って、第１のセンサ連結配線（ＳＣＬ１）と第２のセンサ連結配線（ＳＣＬ２）は、同じ層に配置できるようになる。
【０１５４】
図１５ｂを参照すると、第１のセンサ連結配線（ＳＣＬ１）及び第２のセンサ連結配線（ＳＣＬ２）は互いに交差しながら配置されても良い。
【０１５５】
即ち、第１のセンサ連結配線（ＳＣＬ１）と第２のセンサ連結配線（ＳＣＬ２）はそれぞれ互いに交差する第１のタッチセンサグループ（ＴＳＧ１）又は第２のタッチセンサグループ（ＴＳＧ２）と連結されるので、機能モジュールの信号配線領域（ＳＬＡ）で少なくとも一つ以上の地点で互いに交差することができる。
【０１５６】
第１のセンサ連結配線（ＳＣＬ１）と第２のセンサ連結配線（ＳＣＬ２）が交差する地点で、いずれか一つのセンサ連結配線（ＳＣＬ）が異なる層に配置できる。
【０１５７】
一例として、第１のセンサ連結配線（ＳＣＬ１）と第２のセンサ連結配線（ＳＣＬ２）が交差する地点で、第１のセンサ連結配線（ＳＣＬ１）が絶縁層（ＩＬＤ）の下部に配置される連結パターン（ＣＰ）を介して連結できるようになる。
【０１５８】
機能モジュールの信号配線領域（ＳＬＡ）に絶縁層（ＩＬＤ）が積層された部分が存在するので、いずれか一つのセンサ連結配線（ＳＣＬ）が絶縁層（ＩＬＤ）の上部または下部に配置される構造によって、第１のセンサ連結配線（ＳＣＬ１）と第２のセンサ連結配線（ＳＣＬ２）が互いに交差し、タッチセンサ（ＴＳ）やタッチ配線（ＴＬ）が連結できるようにする。
【０１５９】
このように、機能モジュールの外部領域に配置される連結パターン（ＣＰ）または機能モジュールの信号配線領域（ＳＬＡ）に配置されるセンサ連結配線（ＳＣＬ）を介して機能モジュールに隣接したタッチセンサ（ＴＳ）やタッチ配線（ＴＬ）が連結されるようにすることもできるが、一つのタッチセンサグループ（ＴＳＧ）と連結されるタッチ配線（ＴＬ）を調整して機能モジュールの周辺領域でタッチ検出ができるようにすることもできる。
【０１６０】
図１６及び図１７は、本発明の実施形態に係るタッチディスプレイパネル１１０においてタッチセンサ（ＴＳ）の連結構造における第３の実施形態を示したものである。
【０１６１】
図１６を参照すると、アクティブ領域（Ａ／Ａ）にＸ軸方向に互いに連結された複数の第１のタッチセンサ（ＴＳ１）を含む第１のタッチセンサグループ（ＴＳＧ１）が配置される。そして、機能モジュールが第１のタッチセンサグループ（ＴＳＧ１）と重畳する領域に配置できるようになる。
【０１６２】
ここで、機能モジュールに隣接した２つの第１のタッチセンサ（ＴＳ１）が互いに異なる第１のタッチ配線（ＴＬ１）に連結されても良い。
【０１６３】
一例として、機能モジュールの左側に配置された第１のタッチセンサグループ（ＴＳＧ１）は、アクティブ領域（Ａ／Ａ）の左側に配置された第１のタッチ配線（ＴＬ１）と連結される。そして、機能モジュールの右側に配置された第１のタッチセンサグループ（ＴＳＧ１）は、アクティブ領域（Ａ／Ａ）の左側と上側に配置される第１のタッチ配線（ＴＬ１）と連結できるようになる。
【０１６４】
機能モジュールに隣接した２つの第１のタッチセンサグループ（ＴＳＧ１）がそれぞれ異なる第１のタッチ配線（ＴＬ１）と連結されることによって、機能モジュールに隣接した第１のタッチセンサ（ＴＳ１）を互いに連結するための連結パターン（ＣＰ）などが配置されないようにすることができる。
【０１６５】
さらに、第１のタッチセンサグループ（ＴＳＧ１）に含まれた複数の第１のタッチセンサ（ＴＳ１）が２つのグループに分かれることによって、抵抗が減少してタッチ検出の感度を向上させることもできる。
【０１６６】
この際、第１のタッチ配線（ＴＬ１）がアクティブ領域（Ａ／Ａ）の上側に配置されることにより、アクティブ領域（Ａ／Ａ）の上側に配置される第２のタッチ配線（ＴＬ２）と交差することができる。
【０１６７】
図１７を参照すると、機能モジュールに隣接した第１のタッチセンサグループ（ＴＳＧ１）は、２つのグループに分かれ、互いに異なる第１のタッチ配線（ＴＬ１）と連結される。そして、機能モジュールと重畳する領域または重畳しない領域に配置された第２のタッチセンサグループ（ＴＳＧ２）と連結される第２のタッチ配線（ＴＬ２）がアクティブ領域（Ａ／Ａ）の上側に配置できるようになる。
【０１６８】
つまり、アクティブ領域（Ａ／Ａ）の上側で第１のタッチ配線（ＴＬ１）と第２のタッチ配線（ＴＬ２）が交差することができる。
【０１６９】
前記第１のタッチ配線（ＴＬ１）と第２のタッチ配線（ＴＬ２）が交差する地点で、いずれか１つのタッチ配線（ＴＬ）が異なる層に配置されるようにすることができる。
【０１７０】
図１８は、図１７に示されたタッチセンサの連結構造において第１のタッチ配線（ＴＬ１）と第２のタッチ配線（ＴＬ２）が交差するＦ―Ｆ′部分の断面図である。
【０１７１】
図１８を参照すると、第１のタッチ配線（ＴＬ１）と第２のタッチ配線（ＴＬ２）が交差する地点で、第２のタッチ配線（ＴＬ）が絶縁層（ＩＬＤ）の下部に配置される連結パターン（ＣＰ）を介して連結できるようになる。
【０１７２】
従って、アクティブ領域（Ａ／Ａ）の上側で第１のタッチ配線（ＴＬ１）と第２のタッチ配線（ＴＬ２）が交差して配置できるようにすることによって、機能モジュールに隣接したタッチセンサグループ（ＴＳＧ）が２つのグループに分かれ、互いに異なるタッチ配線（ＴＬ）と連結できるようにする。
【０１７３】
なお、前述したように、抵抗減少のために、同一の行または同一の列に配置されたタッチセンサグループ（ＴＳＧ）が２つのグループに分かれて互いに異なるタッチ配線（ＴＬ）と連結できるようになる。
【０１７４】
即ち、本発明の実施形態によるタッチディスプレイパネル１１０においてタッチセンサグループ（ＴＳＧ）は、一つのタッチ配線（ＴＬ）と連結されても良いし、抵抗減少のために２つのグループに分かれて互いに異なるタッチ配線（ＴＬ）と連結されても良い。さらに機能モジュールと重畳する領域で２つのグループに分かれて互いに異なるタッチ配線（ＴＬ）と連結されても良い。
【０１７５】
本発明の実施形態によると、アクティブ領域（Ａ／Ａ）に機能モジュールが配置される領域のように画像が表示されない領域が含まれた構造において、当該領域の外部領域に配置された連結パターン（ＣＰ）を介してタッチセンサ（ＴＳ）が連結できるようにすることにより、当該領域の周辺でタッチ検出ができるようにする。
【０１７６】
さらに、機能モジュールがアクティブ領域（Ａ／Ａ）に配置された場合、機能モジュールの駆動のための信号配線が配置される信号配線領域の一部空間にセンサ連結配線（ＳＣＬ）を配置することにより、連結パターン（ＣＰ）の配置によってタッチセンサ（ＴＳ）が配置される領域が減少することを防止し、且つタッチ検出機能を提供することもできる。
【０１７７】
なお、機能モジュールに隣接したタッチセンサ（ＴＳ）を互いに異なるタッチ配線（ＴＬ）と連結される構造を介してタッチ検出感度を向上させ、且つ機能モジュールの周辺領域でタッチ検出を行うようにすることもできる。
【０１７８】
以上では、本発明の技術的思想を例示的に説明したものに過ぎず、本発明が本質的な特徴から逸脱しない範囲内で種々に修正及び変更できることは、当該技術分野の当業者にとって自明である。なお、本発明に開示した実施の形態は本発明の技術的思想を限定するものではなく説明するためのものであるので、本発明の技術的思想の範囲が限定されるわけではない。本発明の保護範囲は特許請求の範囲によって解釈すべきであり、それと同等な範囲内にある全ての技術的思想は本発明の権利範囲に含まれるもので解釈しなければならない。
【符号の説明】
【０１７９】
１００  タッチディスプレイ装置                １１０  タッチディスプレイパネル
ＴＳ    タッチセンサ                          ＴＬ    タッチ配線
１２０  タッチ駆動回路                        ２０２  第１の平坦化層
２０３  第１の電極層                          ２０５  有機発光層
２０４  バンク層                              ２０６  第２の電極層
２０７  第１の保護層                          ２０８  第２の保護層
２０９  第３の保護層                          ２１０  タッチバッファ層
２１１  タッチ絶縁層                          ２１２  第２の平坦化層
ＯＣ    オーバーコート層                      ＥＮＣＡＰ  封止層
ＤＡＭ  ダム
【図１】
2019096306.tif 000003
【図２】
2019096306.tif 000004
【図３】
2019096306.tif 000005
【図４】
2019096306.tif 000006
【図５ａ】
2019096306.tif 000007
【図５ｂ】
2019096306.tif 000008
【図６】
2019096306.tif 000009
【図７ａ】
2019096306.tif 000010
【図７ｂ】
2019096306.tif 000011
【図８】
2019096306.tif 000012
【図９】
2019096306.tif 000013
【図１０】
2019096306.tif 000014
【図１１】
2019096306.tif 000015
【図１２】
2019096306.tif 000016
【図１３】
2019096306.tif 000017
【図１４】
2019096306.tif 000018
【図１５ａ】
2019096306.tif 000019
【図１５ｂ】
2019096306.tif 000020
【図１６】
2019096306.tif 000021
【図１７】
2019096306.tif 000022
【図１８】
2019096306.tif 000023